(57)【要約】【課題】缶詰に付されたバーコードを読み取り不能に遮蔽する粘着テープにより缶詰を集積包装する。【解決手段】バーコードの位置を揃えた状態で多数の缶詰を送り手段（２１）により送らせ、送り手段の上方には粘着テープ供給手段（２３）を配設し、送り手段の上方には押圧保持手段（２７）を上下動自在に配設し、押圧保持手段の下方にはストッパー（３１）を配設し、押圧保持手段とストッパーとを進退自在となし、前後一対の第一粘着テープ押え手段（３３ａ）（３３ｂ）を上下動自在に配設し、送り装置の側傍下方位置と一対の第一粘着テープ押え手段間の位置（３３ｄ）との間を進退する第二粘着テープ押え手段（３５）を設け、第二粘着テープ押え手段は粘着テープ押え部（３５ａ）と粘着テープ押圧部（３５ｂ）とを備えさせ、該粘着テープ押圧部を缶詰の送り方向に進退自在となす。【選択図】図１
2005119856.tif 000002
【特許請求の範囲】
【請求項１】
バーコード（１３）の位置を揃えた状態で多数の缶詰（１１）を送り手段（２１）により送らせ、該送り手段の上方には各缶詰のバーコードを読み取り不能に遮蔽し得る粘着テープ（１５）を供給する粘着テープ供給手段（２３）を配設し、
該送り手段の上方には粘着テープを所定数の缶詰の上縁（１１ｂ）に押圧すると共に当該所定数の缶詰を送り手段上に保持するための押圧保持手段（２７）を上下動自在に配設し、該押圧保持手段の下方には先頭の缶詰に当接するストッパー（３１）を配設し、該押圧保持手段と該ストッパーとを同一の支持体（２９）に取り付け、該支持体を缶詰の送り方向に進退自在となし、
缶詰の送り方向に関して前後一対の第一粘着テープ押え手段（３３ａ）（３３ｂ）を缶詰の上方から缶詰の下方まで上下動自在になるように配設し、
更に送り手段の側傍下方位置と缶詰の下方に位置したときにおける当該一対の第一粘着テープ押え手段（３３ａ）（３３ｂ）間の位置（３３ｄ）との間を進退する第二粘着テープ押え手段（３５）を設け、該第二粘着テープ押え手段（３５）は粘着テープを押える粘着テープ押え部（３５ａ）と粘着テープを缶詰下縁（１１ｃ）に押圧する粘着テープ押圧部（３５ｂ）とを備え、粘着テープ押え部（３５ａ）は缶詰の送り方向に進退不能とし、粘着テープ押圧部（３５ｂ）は缶詰の送り方向に進退自在とし、
以て前記粘着テープが各缶詰のバーコードを読み取り不能に遮蔽した状態で該缶詰を一体的に固定するようにしたことを特徴とする粘着テープによる缶詰の集積包装装置。
【請求項２】
前記粘着テープには当該集積包装内の全缶詰に対応するバーコード（１７）を備えさせたことを特徴とする請求項１に記載の粘着テープによる缶詰の集積包装装置。
【発明の詳細な説明】
【技術分野】
【０００１】
本発明は、粘着テープによる缶詰の集積包装装置に関するものである。
【背景技術】
【０００２】
特開２０００−２１９２７６号公報は、図１１に示すように、集積した缶詰２、２・・・を透けて見えるように包装し、個々の缶詰２、２・・・に付されたバーコード３の読み取りを遮蔽手段で妨げ、これら全缶詰２、２・・・についての単一のバーコード５を表示する集積包装フィルムにおいて、前記遮蔽手段として、可視光線を透過させ、赤外線を吸収する材料を用いることを特徴とする集積包装フィルムを提案している。
【０００３】
即ち、店頭においては、バーコード読取装置は集積包装内の各缶詰２に付されている各々のバーコード３を読み取るのではなく、包装用フィルム１に表示されているバーコード５を読み取るのである。
【特許文献１】特開２０００−２１９２７６号公報
【発明の開示】
【発明が解決しようとする課題】
【０００４】
しかるに、上記従来の缶詰の集積包装手段においては、次のような問題がある。
【０００５】
（イ）複数個の缶詰を積み重ねた状態で包装用フィルムにより包装するための集積シュリンク包装装置等の包装装置が必要である。このような包装装置は大掛かりなものであり、高価である。
【０００６】
（ロ）複数個の缶詰を包装するための包装用フィルムは比較的高価である。
【０００７】
（ハ）集積包装を開封した後は、包装用フィルムは比較的大きなゴミとなる。
【０００８】
本発明は、上記従来の缶詰の集積包装手段における上述の如き問題を解決しようとしてなされたものである。
【課題を解決するための手段】
【０００９】
上記課題を解決するために、本発明は下記の如き粘着テープによる缶詰の集積包装装置を提供するものである。
【００１０】
１．バーコード（１３）の位置を揃えた状態で多数の缶詰（１１）を送り手段（２１）により送らせ、該送り手段の上方には各缶詰のバーコードを読み取り不能に遮蔽し得る粘着テープ（１５）を供給する粘着テープ供給手段（２３）を配設し、
該送り手段の上方には粘着テープを所定数の缶詰の上縁（１１ｂ）に押圧すると共に当該所定数の缶詰を送り手段上に保持するための押圧保持手段（２７）を上下動自在に配設し、該押圧保持手段の下方には先頭の缶詰に当接するストッパー（３１）を配設し、該押圧保持手段と該ストッパーとを同一の支持体（２９）に取り付け、該支持体を缶詰の送り方向に進退自在となし、
缶詰の送り方向に関して前後一対の第一粘着テープ押え手段（３３ａ）（３３ｂ）を缶詰の上方から缶詰の下方まで上下動自在になるように配設し、
更に送り手段の側傍下方位置と缶詰の下方に位置したときにおける当該一対の第一粘着テープ押え手段（３３ａ）（３３ｂ）間の位置（３３ｄ）との間を進退する第二粘着テープ押え手段（３５）を設け、該第二粘着テープ押え手段（３５）は粘着テープを押える粘着テープ押え部（３５ａ）と粘着テープを缶詰下縁（１１ｃ）に押圧する粘着テープ押圧部（３５ｂ）とを備え、粘着テープ押え部（３５ａ）は缶詰の送り方向に進退不能とし、粘着テープ押圧部（３５ｂ）は缶詰の送り方向に進退自在とし、
以て前記粘着テープが各缶詰のバーコードを読み取り不能に遮蔽した状態で該缶詰を一体的に固定するようにしたことを特徴とする粘着テープによる缶詰の集積包装装置（請求項１）。
【００１１】
２．前記粘着テープには当該集積包装内の全缶詰に対応するバーコード（１７）を備えさせる（請求項２）。
【００１２】
なお、本明細書においては、複数個の缶詰が「積み重ね」られると記載されている部分もあるが、このことは、集積包装された缶詰が保管時、店頭展示時等には、一般に上下方向に積み重ねられるためである。これらの缶詰の集積包装作業時には作業上の便宜のために該缶詰はバーコードの位置を揃えると共に端面を相互に接触させて水平方向に整列させた状態で粘着テープにより集積包装される。
【００１３】
［発明の作用］
［請求項１の発明］
粘着テープ供給手段（２３）から供給された粘着テープ１５の先端を第二粘着テープ押え手段（３５）の粘着テープ押え部（３５ａ）に押えさせた状態でバーコードの位置を揃えた多数の缶詰を送り手段（２１）により送らせると、先頭の缶詰（１１’）の前面（１１ａ）は粘着テープ（１５）に接触し、該粘着テープを押しつつ該粘着テープを介してストッパー（３１）に当接する（図１、図２参照）。即ち、粘着テープは先頭の缶詰の前面に押圧されて該前面に密着する。
【００１４】
続いて、押圧保持手段（２７）を下方に動かして該押圧保持手段により粘着テープを所定数の缶詰の上縁（１１ｂ）に押圧すると共に当該所定数の缶詰を送り手段上に保持する。それと同時に、第二粘着テープ押え手段（３５）の粘着テープ押圧部（３５ｂ）は粘着テープを缶詰下縁（１１ｃ）に押圧する。即ち、粘着テープは、缶詰の前進に伴い、所定数の缶詰の上縁と下縁とに密着し、当該所定数の缶詰が送り手段上に保持される（図２参照）。
【００１５】
以上により、粘着テープは、所定数の缶詰における前面（１１ａ）と上縁（１１ｂ）と下縁（１１ｃ）とに略コ字状に密着する。
【００１６】
この状態で、押圧保持手段とストッパーとが取り付けられている支持体（２９）を前進させることにより、前記所定数の缶詰が前進して後続の缶詰から引き離される（図３参照）。
【００１７】
缶詰の送り方向に関して前後一対の第一粘着テープ押え手段（３３ａ）（３３ｂ）を前記所定数の缶詰と後続の缶詰との間の隙間を通して缶詰の下方まで動かすことにより当該隙間に位置する粘着テープ部分を缶詰の下方まで押し下げる（図４参照）。粘着テープ押え部（３５ａ）と粘着テープ押圧部（３５ｂ）とを備えた第二粘着テープ押え手段（３５）は、第一粘着テープ押え手段（３３ａ）（３３ｂ）が下降しつつある時には、送り手段の側傍下方位置に後退し、第一粘着テープ押え手段（３３ａ）（３３ｂ）が所定の下降位置に達した時には、第二粘着テープ押え手段（３５）は第一粘着テープ押え手段（３３ａ）（３３ｂ）間の位置（３３ｄ）まで前進する。粘着テープが第二粘着テープ押え手段（３５）における粘着テープ押え部（３５ａ）と粘着テープ押圧部（３５ｂ）との下側に位置した時に、第一粘着テープ押え手段（３３ａ）（３３ｂ）は元の位置まで上昇する。即ち、粘着テープは、第一粘着テープ押え手段（３３ａ）（３３ｂ）に代わって、第二粘着テープ押え手段（３５）の粘着テープ押え部（３５ａ）により押えられる。図４、図６参照。
【００１８】
この状態で、第二粘着テープ押え手段（３５）の粘着テープ押圧部（３５ｂ）を缶詰の送り方向に前進させることにより粘着テープを既に缶詰下縁（１１ｃ）に粘着している粘着テープ上に重ねて押圧する（図５参照）。
【００１９】
以上により、粘着テープは、所定数の缶詰における下縁（１１ｃ）と前面（１１ａ）と上縁（１１ｂ）と後面（１１ｄ）とに密着して該缶詰を一周すると共に、該缶詰の下縁に密着している粘着テープ上に重ねて密着する（図８参照）。
【００２０】
粘着テープは、前記所定数の缶詰に付された各バーコードを読み取り不能に遮蔽すると共に、これらの缶詰を一体的に固定する。
【００２１】
前記所定数の缶詰に付された各バーコードが粘着テープにより読み取り不能に遮蔽されるため、粘着テープにより一体的に包装された缶詰の適宜の位置に当該集積包装内の全缶詰に対応するバーコードを備えさせる。
【００２２】
従って、店頭においては、バーコード読取装置は各缶詰に付されている各々のバーコードを読み取るのではなく、当該集積包装内の全缶詰に対応するバーコードを読み取るのである。
【００２３】
［請求項２の発明］
粘着テープには当該集積包装内の全缶詰に対応するバーコードを備えさせているため、店頭においては、バーコード読取装置は各缶詰に付されている各々のバーコードを読み取るのではなく、粘着テープに備えさせたバーコードを読み取るのである。
【発明の効果】
【００２４】
本発明は、下記の如き優れた効果を発揮する。
【００２５】
（１）本発明による缶詰の集積包装装置は、所定数の缶詰を、包装用フィルムではなく、粘着テープにより包装するようにしているため、構造が比較的簡単であって集積シュリンク包装装置に比べて安価に提供することができる。
【００２６】
（２）本発明によれば、複数個の缶詰をそのバーコードの位置を揃えた状態で粘着テープを取り付ければ、缶詰の整列が乱れるおそれはない。
【００２７】
（３）粘着テープは包装用フィルムに比べて安価である。
【００２８】
（４）粘着テープは、包装用フィルムに比べて使用量が極めて少ないため、集積包装を開封した後のゴミ処理の面でも有利である。
【発明を実施するための最良の形態】
【００２９】
符号１１に示すものは、粘着テープによる缶詰の集積包装装置により集積包装される缶詰、符号１３に示すものは各缶詰１１に付せられたバーコード、符号１５に示すものは缶詰１１、１１・・・を集積包装するための粘着テープである。
【００３０】
本発明による缶詰の集積包装装置においては、多数の缶詰１１、１１・・・はそのバーコード１３の位置を揃えた状態で送り手段２１により送られる。送り手段２１は水平方向に配設されており、例えば一対のレールとコンベヤとよりなるものである。
【００３１】
送り手段２１の上方には各缶詰１１のバーコード１３を読み取り不能に遮蔽し得る粘着テープ１５を供給する粘着テープ供給手段２３を配設する。粘着テープ１５は、例えばカラーテープ等の不透明な粘着テープ或はバーコード遮蔽印刷を施した粘着テープとするが、各缶詰１１のバーコード１３を読み取り不能に遮蔽し得るものであればいかなる粘着テープであっても差し支えない。符号２３ａに示すものは粘着テープ供給手段２３における粘着テープ繰り出しリールである。符号２３ｂ、２３ｃ、２３ｄに示すものは粘着テープ１５の案内ロールである。
【００３２】
送り手段２１の上方には粘着テープ１５を所定数の缶詰１１の上縁１１ｂに押圧すると共に当該所定数の缶詰１１を送り手段２１上に保持するための押圧保持手段２７を上下動自在に配設する。押圧保持手段２７は、例えば板状体とし、一例としてエアシリンダ２７ａにより上下動自在に支持体２９に取り付けられている。符号２７ｂに示すものは押圧保持手段２７のガイドである。
【００３３】
押圧保持手段２７の下方には先頭の缶詰１１’の前面１１ａに当接するストッパー３１を配設する。
【００３４】
ストッパー３１は押圧保持体２７の前記支持体２９に取り付けられている。支持体２９は缶詰１１の送り方向に進退自在となす。即ち、押圧保持体２７とストッパー３１とを取り付けた支持体２９は、例えばエアシリンダ（図示せず。）により缶詰１１の送り方向に進退自在となす。
【００３５】
缶詰１１の送り方向に関して前後一対の第一粘着テープ押え手段３３ａ、３３ｂを缶詰１１の上方から缶詰１１の下方まで上下動自在になるように配設する。第一粘着テープ押え手段３３ａ、３３ｂは、それぞれ一例としてピンとし、エアシリンダ等の駆動手段３３ｃにより上下動自在となす。
【００３６】
更に送り手段２１の側傍下方位置と缶詰１１の下方に位置したときにおける当該一対の第一粘着テープ押え手段３３ａ、３３ｂ間の位置３３ｄ（図４、図６参照）との間を進退する第二粘着テープ押え手段３５を設ける。
【００３７】
第二粘着テープ押え手段３５は粘着テープ１５を押える粘着テープ押え部３５ａと粘着テープ１５を缶詰下縁１１ｃに押圧する粘着テープ押圧部３５ｂとを備えている。粘着テープ押え部３５ａは缶詰１１の送り方向に進退不能とし、粘着テープ押圧部３５ｂは缶詰１１の送り方向に進退自在となす。
【００３８】
図示の事例においては、第二粘着テープ押え手段３５における粘着テープ押圧部３５ｂの下側に粘着テープ補助押え部３６を備えている。粘着テープ押圧部３５ｂと粘着テープ補助押え部３６との間に位置する粘着テープ１５部分はカッター３４により切断される。粘着テープ補助押え部３６は、粘着テープ押圧部３５ｂと共に缶詰１１の送り方向に進退する。
【００３９】
粘着テープ押え部３５ａと粘着テープ押圧部３５ｂと粘着テープ補助押え部３６とを備えた第二粘着テープ押え手段３５は、一例として、エアシリンダ３７により、全体が送り手段２１の側傍下方位置と缶詰１１の下方に位置したときにおける一対の第一粘着テープ押え手段３３ａ、３３ｂ間の位置３３ｄとの間を進退する。図７参照。即ち、第二粘着テープ押え手段３５は、缶詰１１の送り方向とは直角の水平方向に進退する。
【００４０】
粘着テープ押圧部３５ｂと粘着テープ補助押え部３６とを缶詰１１の送り方向に進退自在とするために、一例として、粘着テープ押圧部３５ｂと粘着テープ補助押え部３６とを粘着テープ押え部３５ａの支持手段３５ａ’とは別体の支持手段３５ｂ’に支持させ、該支持手段３５ｂ’を案内手段３９に沿ってエアシリンダ４１により進退させるようになす。
【００４１】
なお、粘着テープ供給手段２３から供給される粘着テープ１５の先端１５ａを第二粘着テープ押え手段３５の粘着テープ押え部３５ａに受けさせたときに該粘着テープ１５が先頭の缶詰１１’の前方に位置するようになす。
【００４２】
粘着テープ１５は、各缶詰１１のバーコード１３を読み取り不能に遮蔽した状態で該缶詰１１を一体的に固定する。即ち、所定数の缶詰１１は、粘着テープ１５によりバーコード１３を読み取り不能に遮蔽した状態で集積包装される。集積包装された缶詰１１は、適宜の排出手段（図示せず。）により集積包装装置から排出される。排出手段は、例えば缶詰１１の送り方向に対し直角の水平方向にエアシリンダにより進退するものとする。
【００４３】
粘着テープ１５には当該集積包装内の全缶詰１１に対応するバーコード１７を備えさせることが望ましい。図１０参照。
【図面の簡単な説明】
【００４４】
【図１】本発明による缶詰の集積包装装置の動きを概略的に示す側面図である。
【図２】同上集積包装装置の動きを概略的に示す別の側面図である。
【図３】同上集積包装装置の動きを概略的に示す更に別の側面図である。
【図４】同上集積包装装置の動きを概略的に示す更に別の側面図である。
【図５】同上集積包装装置の動きを概略的に示す更に別の側面図である。
【図６】第一粘着テープ押え手段と第二粘着テープ押え手段との位置関係を示す側面図である。
【図７】第二粘着テープ押え手段を概略的に示す側面図である。
【図８】缶詰を粘着テープにより集積包装した状態を示す側面図である。
【図９】缶詰を粘着テープにより集積包装した事例を示す斜視図である。
【図１０】缶詰を粘着テープにより集積包装した別の事例を示す斜視図である。
【図１１】缶詰を従来の集積包装手段により集積包装した事例を示す斜視図である。
【符号の説明】
【００４５】
１  包装用フィルム
２  缶詰
３  バーコード
５  バーコード
１１  缶詰
１１ａ  前面
１１ｂ  上縁
１１ｃ  下縁
１１ｄ  後面
１１’  先頭の缶詰
１３  バーコード
１５  粘着テープ
１７  バーコード
１５ａ  先端
２１  送り手段
２３  粘着テープ供給手段
２３ａ  粘着テープ繰り出しリール
２３ｂ  案内ロール
２３ｃ  案内ロール
２３ｄ  案内ロール
２７  押圧保持手段
２７ａ  エアシリンダ
２７ｂ  ガイド
２９  支持体
３１  ストッパー
３３ａ  第一粘着テープ押え手段
３３ｂ  第一粘着テープ押え手段
３３ｃ  駆動手段
３３ｄ  位置
３４  カッター
３５  第二粘着テープ押え手段
３５ａ  粘着テープ押え部
３５ａ’  支持手段
３５ｂ  粘着テープ押圧部
３５ｂ’  支持手段
３６  粘着テープ補助押え部
３７  エアシリンダ
３９  案内手段
４１  エアシリンダ
【図１０】
2005119856.tif 000003
【図１】
2005119856.tif 000004
【図２】
2005119856.tif 000005
【図３】
2005119856.tif 000006
【図４】
2005119856.tif 000007
【図５】
2005119856.tif 000008
【図６】
2005119856.tif 000009
【図７】
2005119856.tif 000010
【図８】
2005119856.tif 000011
【図９】
2005119856.tif 000012
【図１１】
2005119856.tif 000013